(57)【要約】      （修正有）【課題】十分に自他商品の識別を図ることができるとともに、ディスプレーや室内の装飾に使用することができる記録用ディスク収納容器を提供する。【解決手段】記録用ディスク収納容器本体3の上面開口部を開閉する一端部にヒンジ部材4を介して取付けられた蓋5とからなる記録用ディスク収納容器において、記録用ディスク収納容器本体の底面板、蓋、該蓋の内壁面に取付けられたパネルのいずれかを光透過性の材質のものを用い、表面にレーザーカッターによって形成された文字や絵等の模様7と、この文字や絵等の模様が形成された光透過性の材質で形成された部材の端部より内部へ発光ダイオード9の光を通過させることができるように記録用ディスク収納容器本体あるいは蓋に取付けられた、少なくとも１個以上の発光ダイオードを用いた発光ダイオード点灯回路10とで記録用ディスク収納容器を構成している。【選択図】図４
2006137469.tif 000002
【特許請求の範囲】
【請求項１】
記録用ディスクを収納支持することができる上面開口の記録用ディスク収納容器本体と、この記録用ディスク収納容器本体の上面開口部を開閉する該記録用ディスク収納容器本体の一端部にヒンジ部材を介して取付けられた蓋とからなる記録用ディスク収納容器において、前記記録用ディスク収納容器本体の底面板、蓋、該蓋の内壁面に取付けられたパネルのいずれかを光透過性の材質のものを用い、表面にレーザーカッターによって形成された文字や絵等の模様と、この文字や絵等の模様が形成された光透過性の材質で形成された部材の端部より内部へ発光ダイオードの光を通過させることができるように、前記記録用ディスク収納容器本体あるいは蓋に取付けられた、少なくとも１個以上の発光ダイオードを用いた発光ダイオード点灯回路とを備えることを特徴とする記録用ディスク収納容器。
【請求項２】
発光ダイオード点灯回路は同色あるいは異なる色の複数個の発光ダイオードと、この複数個の発光ダイオードに制御回路を介して接続されたバッテリーとで構成されていることを特徴とする請求項１記載の記録用ディスク収納容器。
【請求項３】
発光ダイオード点灯回路は記録用ディスク収納容器本体のヒンジ部材取付部位に収納されていることを特徴とする請求項１記載の記録用ディスク収納容器。
【請求項４】
光透過性の材質で形成された部材の発光ダイオードの光を通過させる端部以外の端部は遮光テープ、ミラーテープやカバー等の遮光体で覆われていることを特徴とする請求項１記載の記録用ディスク収納容器。
【発明の詳細な説明】
【技術分野】
【０００１】
本発明は、ＣＤ、ＤＶＤ等の記録用ディスクを収納する記録用ディスク収納容器に関する。
【背景技術】
【０００２】
従来のＣＤ、ＤＶＤ等の記録用ディスクを収納する記録用ディスク収納容器は透明材で形成し、記録用ディスク収納容器本体および蓋の内部にカードを収納して自他商品の識別を図っている。
【０００３】
このため、十分に自他商品の識別を図ることができないという欠点があるとともに、記録用ディスク収納容器が収納容器としての機能しかないという欠点があった。
【特許文献１】特許第２８６３３１７号
【発明の開示】
【発明が解決しようとする課題】
【０００４】
本発明は以上のような従来の欠点に鑑み、十分に自他商品の識別を図ることができるとともに、ディスプレーや室内の装飾に使用することができる記録用ディスク収納容器を提供することを目的としている。
【０００５】
本発明の前記ならびにそのほかの目的と新規な特徴は次の説明を添付図面と照らし合わせて読むと、より完全に明らかになるであろう。
ただし、図面はもっぱら解説のためのものであって、本発明の技術的範囲を限定するものではない。
【課題を解決するための手段】
【０００６】
上記目的を達成するために、本発明は記録用ディスクを収納支持することができる上面開口の記録用ディスク収納容器本体と、この記録用ディスク収納容器本体の上面開口部を開閉する該記録用ディスク収納容器本体の一端部にヒンジ部材を介して取付けられた蓋とからなる記録用ディスク収納容器において、前記記録用ディスク収納容器本体の底面板、蓋、該蓋の内壁面に取付けられたパネルのいずれかを光透過性の材質のものを用い、表面にレーザーカッターによって形成された文字や絵等の模様と、この文字や絵等の模様が形成された光透過性の材質で形成された部材の端部より内部へ発光ダイオードの光を通過させることができるように、前記記録用ディスク収納容器本体あるいは蓋に取付けられた、少なくとも１個以上の発光ダイオードを用いた発光ダイオード点灯回路とで記録用ディスク収納容器を構成している。
【発明の効果】
【０００７】
以下の説明から明らかなように、本発明にあっては次に列挙する効果が得られる。
【０００８】
（１）記録用ディスクを収納支持することができる上面開口の記録用ディスク収納容器本体と、この記録用ディスク収納容器本体の上面開口部を開閉する該記録用ディスク収納容器本体の一端部にヒンジ部材を介して取付けられた蓋とからなる記録用ディスク収納容器において、前記記録用ディスク収納容器本体の底面板、蓋、該蓋の内壁面に取付けられたパネルのいずれかを光透過性の材質のものを用い、表面にレーザーカッターによって形成された文字や絵等の模様と、この文字や絵等の模様が形成された光透過性の材質で形成された部材の端部より内部へ発光ダイオードの光を通過させることができるように、前記記録用ディスク収納容器本体あるいは蓋に取付けられた、少なくとも１個以上の発光ダイオードを用いた発光ダイオード点灯回路とで構成されているので、ＣＤ、ＤＶＤ等の記録用ディスク収納容器の記録用ディスク収納容器本体の底面板、蓋、蓋の内壁面に取付けられたパネルのいずれかに形成された文字や絵等の模様を発光ダイオードの光によって、浮き上がらせて見せることができる。
したがって、光るディスプレーや室内装飾として利用することができる。
【０００９】
（２）前記（１）によって、ＣＤ、ＤＶＤ等の自他商品の識別を容易に図ることができるとともに、販売促進を図ることができる。
【００１０】
（３）前記（１）によって、文字や絵等の模様をレーザーカッターで形成するので、容易に短時間に形成することができる。
【００１１】
（４）前記（１）によって、発光ダイオードを用いるので、小型で安価に製造することができるとともに、消費電力が小さく、長時間点灯させることができる。
【００１２】
（５）請求項２も前記（１）〜（４）と同様な効果が得られるとともに、異なる色の発光ダイオードを用いることにより、より目立つ状態で文字や絵の模様を照明することができる。
【００１３】
（６）請求項３も前記（１）〜（４）と同様な効果が得られるとともに、従来の容器にも容易に設置することができる。
【００１４】
（７）請求項４も前記（１）〜（４）と同様な効果が得られるとともに、外部へ光が漏れるのを効率よく阻止して、文字や絵等の模様部分をより明るく照明することができる。
【発明を実施するための最良の形態】
【００１５】
以下、図面に示す本発明を実施するための最良の形態により、本発明を詳細に説明する。
【００１６】
図１ないし図８に示す本発明を実施するための最良の第１の形態において、１は本発明のＣＤ、ＤＶＤ等の記録用ディスク２を収納する本発明の記録用ディスク収納容器で、この記録用ディスク収納容器１は前記記録用ディスク２を収納支持することができる上面開口の記録用ディスク収納容器本体３と、この記録用ディスク収納容器本体３の上面開口部を開閉する、該記録用ディスク収納容器本体３の一端部にヒンジ部材４、４を介して取付けられた光透過性の材質で形成された蓋５と、この蓋５の上下面のいずれかの表面に、図６に示すようにレーザーカッター６によって形成された文字や絵等の模様７と、前記記録用ディスク収納容器本体３のヒンジ部材４、４部位に形成された空間部８に設けられた、前記蓋５のヒンジ部材４、４側端部より内部へ発光ダイオードの光を通過させることができる、少なくとも１個以上、本発明を実施する形態では複数個の発光ダイオード９を用いた発光ダイオード点灯回路１０と、前記蓋５のヒンジ部材４、４側端部以外の端部に設けられた遮光テープ、ミラーテープ、遮光カバー、遮光塗料層等の遮光体１１とで構成されている。
【００１７】
前記記録用ディスク収納容器本体３は従来と同様に一端部側の両側板１２、１２に軸孔１３、１３が形成された透明材製の外側ケース１４と、この外側ケース１４内に収納される両端部が直角に折り曲げられた端部カバー体１５、１５を有する、該外側ケース１４の底面および両端部板１６、１６を覆うカバーシート１７と、このカバーシート１７を覆うように前記外側ケース１４に嵌合される、前記記録用ディスク収納凹部１８および一端部にアングル状の折り曲げ部１９を形成して、前記ヒンジ部材４、４側に空間部８を形成する補強部２０とからなる透明材製の内側ケース２１とで構成されている。
【００１８】
前記蓋５は文字や絵等の模様７が形成される透明材製の蓋本体２２と、この蓋本体２２の両端部に一体形成された端部壁２３、２３と、この端部壁２３、２３の内側面に内側へ突出するように一体形成された複数個のカード収納突片２４、２４、２４、２４と、前記端部壁２３、２３の後端部より外方へ突出させ、内壁面に前記外側ケース１４の軸孔１３、１３に挿入される軸２５、２５が形成された、前記ヒンジ部材４、４の一部を構成するヒンジ片２６、２６とで構成されている。
なお、蓋本体２２の前記複数個の発光ダイオード９、９、９、９側の端部は該蓋本体２２内へ光が進入するように三角形形状の光導入部２２ａを形成したり、
前記複数個の発光ダイオード９、９、９、９の光が蓋本体２２内へ進入するように厚肉に形成したものを用いても良い。
また、複数個の発光ダイオード９、９、９、９からの光が蓋本体２２内へ進入するように、それ以外の部位には光を遮断するシールを貼着すると良い。
【００１９】
前記発光ダイオード点灯回路１０は前記ヒンジ部材４、４側のカバーシート１７の端部カバー部１５に形成した複数個の切り抜き孔２７と、この複数個の切り抜き孔２７の前記空間部８内に位置するように取付けられた複数個の発光ダイオード９、９、９、９と、この複数個の発光ダイオード９、９、９、９へ電流を制御回路２８を介して供給する、前記空間部８内に設けられたバッテリー２９と、前記記録用ディスク収納容器本体３に外部から操作できるように、前記バッテリー２９と制御回路２８との間に介装されたスイッチ３０とで構成されている。
なお、複数個の発光ダイオード９、９、９、９が収納される空間部８の端部カバー部１５に形成した複数個の切り抜き孔２７以外の部位には光が外部に漏れるのを防止するシールや塗装を施すと良い。
【００２０】
上記構成の記録用ディスク収納容器１は蓋５を開放し、発光ダイオード点灯回路１０のスイッチ３０をＯＮ状態にすると、複数個の発光ダイオード９、９、９、９が点灯し、その光はカバーシート１７の複数個の切り抜き孔２７、２７、２７、２７から蓋５のヒンジ部材４、４側の端部より内部へ導かれ、レーザーカッターで文字や絵等の模様７形成部で乱反射して、模様７を浮き上がらせて見せることができる。
【００２１】
なお、複数個の発光ダイオード９、９、９、９を色の異なるものを用いたり、制御回路２８で複数個の発光ダイオード９、９、９、９の点滅制御を行なうことにより、より目立つ照明を行なうことができる。
［発明を実施するための異なる形態］
【００２２】
次に、図９ないし図２１に示す本発明を実施するための異なる形態につき説明する。なお、これらの本発明を実施するための異なる形態の説明に当って、前記本発明を実施するための最良の第１の形態と同一構成部分には同一符号を付して重複する説明を省略する。
【００２３】
図９ないし図１１に示す本発明を実施するための第２の形態において、前記本発明を実施するための最良の第１の形態と主に異なる点は、蓋５を閉じた状態で蓋本体２２の文字や絵等の模様７を照明できるように空間部８の内側面に複数個の切り抜き孔２７、２７、２７、２７を有するカバー体３１と、このカバー体３１の切り抜き孔２７、２７、２７、２７に発光ダイオード９、９、９、９を配置した発光ダイオード点灯回路１０Ａを用いた点で、このような発光ダイオード点灯回路１０Ａを用いて構成した記録用ディスク収納容器１Ａにしても、前記本発明を実施するための最良の第１の形態と同様な作用効果が得られる。
【００２４】
図１２ないし図１５に示す本発明を実施するための第３の形態において、前記本発明を実施するための最良の第１の形態と主に異なる点は、模様が形成されていない蓋５Ａを用いるとともに、該蓋５Ａの複数個のカード収納突片２４、２４、２４、２４に文字や絵等の模様７をレーザーカッター６によって形成した光透過性の材質のパネル３２を収納し、該パネル３２に発光ダイオード９、９、９、９の光を照射できるようにした点で、このようなパネル３２を用いた記録用ディスク収納容器１Ｂにしても、前記本発明を実施するための最良の第１の形態と同様な作用効果が得られる。
なお、パネル３２の発光ダイオード９、９、９、９側の端部には該パネル３２内へ光が効率良く進入するように三角形形状の光導入部３２ａを形成したものを使用すると良い。
【００２５】
図１６ないし図１８に示す本発明を実施するための第４の形態において、前記本発明を実施するための最良の第１の形態と主に異なる点は、蓋５の複数個のカード収納突片２４、２４、２４、２４に文字や絵等の模様７をレーザーカッター６によって形成したパネル３２を収納し、発光ダイオード９、９、９、９の光で蓋本体２２とパネル３２を照明できるようにした点で、このように構成した記録用ディスク収納容器１Ｃにしても、前記本発明を実施するための最良の第１の形態と同様な作用効果が得られるとともに、蓋本体２２の模様７とパネル３２の模様７とで立体感を出すことができ、立体的な照明を浮き上がらすことができる。
【００２６】
図１９ないし図２１に示す本発明を実施するための第５の形態において、前記本発明を実施するための最良の第１の形態と主に異なる点は、光透過性の材質で形成した外側ケース１４Ａに、文字や絵等の模様７をレーザーカッター６で形成し、該外側ケース１４Ａの一端部より発光ダイオード９、９、９、９の光を内部を通過するように発光ダイオード点灯回路１０Ｂを用いた点で、このように構成した記録用ディスク収納容器１Ｄにしても、前記本発明を実施するための最良の第１の形態と同様な作用効果が得られる。
【００２７】
なお、前記本発明を実施するための各形態では蓋本体２２、パネル３２、外側ケース１４Ａの一面にだけ文字や絵等の模様をレーザーカッター６で形成するものについて説明したが、本発明はこれに限らず、両面に文字や絵等の模様７をレーザーカッターで形成して、立体的に照明を浮き上がらせることができるようにしてもよい。
また、発光ダイオード点灯回路１０、１０Ａ、１０Ｂは記録用ディスク収納容器本体３の記録用ディスク収納凹部１８の外周部に配置してもよい。
さらに、本発明は蓋本体２２、パネル３２、外側ケース１４Ａをバックライトとして使用できるように、該蓋本体２２、パネル３２、外側ケース１４Ａの表面に
ポスター等を取付けても良い。
【産業上の利用可能性】
【００２８】
本発明はＣＤ、ＤＶＤ等の記録用ディスクの収納容器を製造する産業で利用される。
【図面の簡単な説明】
【００２９】
【図１】本発明を実施するための最良の第１の形態の平面図。
【図２】本発明を実施するための最良の第１の形態の正面図。
【図３】本発明を実施するための最良の第１の形態の側面図。
【図４】本発明を実施するための最良の第１の形態の蓋を開放した状態の平面図。
【図５】図４の５−５線に沿う断面図。
【図６】本発明を実施するための最良の第１の形態の蓋の加工状態の説明図。
【図７】本発明を実施するための最良の第１の形態の発光ダイオード点灯回路の概略説明図。
【図８】図５の要部拡大説明図。
【図９】本発明を実施するための第２の形態の平面図。
【図１０】図９の１０−１０線に沿う断面図。
【図１１】図１０の要部拡大説明図。
【図１２】本発明を実施するための第３の形態の平面図。
【図１３】図１２の１３−１３線に沿う断面図。
【図１４】図１３の要部拡大説明図。
【図１５】本発明を実施するための第３の形態のパネルの説明図。
【図１６】本発明を実施するための第４の形態の平面図。
【図１７】図１６の１７−１７線に沿う断面図。
【図１８】図１７の要部拡大説明図。
【図１９】本発明を実施するための第５の形態の平面図。
【図２０】図１９の２０−２０線に沿う断面図。
【図２１】図２０の要部拡大説明図。
【符号の説明】
【００３０】
１、１Ａ、１Ｂ、１Ｃ、１Ｄ：記録用ディスク収納容器、
２：記録用ディスク、          
３：記録用ディスク収納容器本体、
４：ヒンジ部材、              ５、５Ａ：蓋、
６：レーザーカッター、        ７：文字や絵等の模様、
８：空間部、                        ９：発光ダイオード、
１０、１０Ａ、１０Ｂ：発光ダイオード点灯回路、
１１：遮光体、                １２：側板、
１３：軸孔、                        １４、１４Ａ：外側ケース、
１５：端部カバー部、          １６：端部板、
１７：カバーシート、          １８：記録用ディスク収納凹部、
１９：折り曲げ部、                  ２０：補強部、                
２１：内側ケース、                  ２２：蓋本体、                
２３：端部壁、                ２４：カード収納突片、        
２５：軸、                    ２６：ヒンジ片、              
２７：切り抜き孔、                  ２８：制御回路、              
２９：バッテリー、                  ３０：スイッチ、              
３１：カバー体、              ３２：パネル。
【図１】
2006137469.tif 000003
【図２】
2006137469.tif 000004
【図３】
2006137469.tif 000005
【図４】
2006137469.tif 000006
【図５】
2006137469.tif 000007
【図６】
2006137469.tif 000008
【図７】
2006137469.tif 000009
【図８】
2006137469.tif 000010
【図９】
2006137469.tif 000011
【図１０】
2006137469.tif 000012
【図１２】
2006137469.tif 000013
【図１３】
2006137469.tif 000014
【図１４】
2006137469.tif 000015
【図１５】
2006137469.tif 000016
【図１６】
2006137469.tif 000017
【図１７】
2006137469.tif 000018
【図１８】
2006137469.tif 000019
【図１９】
2006137469.tif 000020
【図２０】
2006137469.tif 000021
【図２１】
2006137469.tif 000022
【図１１】
2006137469.tif 000023